(57)【要約】【課題】  競馬，競艇などの公営競技会員カード発行利用システムにおいて、会員登録および会員カードの発行を迅速に行えるようにする。【解決手段】  会員登録申し込み者は、氏名などの属性情報、希望パスワードを入力すると共に、自身の身分証明書を画像読み取り装置に読み取らせる（Ｓ1201，Ｓ1202）。会員登録端末３は、それらを公営競技会員管理サーバ１へ送信する（ステップＳ1203）。公営競技会員管理サーバ１は、身分証明書の画像データ中の文字を認識し適法性（例えば、年齢）を判定する（Ｓ1205，Ｓ1206）。適法な場合は、二重登録チェックを行った後、会員ＩＤの生成処理、会員情報の登録処理、会員ＩＤを含むカード発行許可通知の送信処理を行う（Ｓ1207〜Ｓ1209）。カード発行許可通知を受信すると、会員登録端末３は、会員ＩＤを記録した会員カードを発行する（Ｓ1210，Ｓ1211）。【選択図】      図１２
2005258527.tif 000002
【特許請求の範囲】
【請求項１】
公営競技会員管理サーバと、会員登録端末とを含む公営競技会員カード発行利用システムにおいて、
前記会員登録端末が、
会員登録申し込み者の身分証明書を読み取る画像読み取り装置と、
該画像読み取り装置が読み取った前記身分証明書の画像データ、前記会員登録申し込み者の属性情報および前記会員登録申し込み者が希望するパスワードを含む会員登録要求を前記公営競技会員管理サーバへ送信し、該会員登録要求に応答して前記公営競技会員管理サーバから会員ＩＤを含むカード発行許可通知が送られてきたとき、前記会員ＩＤを記録した会員カードを発行する制御部とを備え、
前記公営競技会員管理サーバが、
会員情報が登録される会員情報記憶部と、
前記会員登録端末から会員登録要求が送られてきたとき、該会員登録要求中の画像データに基づいて適法性を判定し、適法であると判定した場合、前記会員登録申し込み者に対する会員ＩＤを生成し、該生成した会員ＩＤを含むカード発行許可通知を前記会員登録端末へ送信すると共に、前記会員情報記憶部に前記会員ＩＤ、前記会員登録申し込み者の属性情報および前記会員登録申し込み者が希望したパスワードを含んだ会員情報を登録する会員登録処理部とを備えたことを特徴とする公営競技会員カード発行利用システム。
【請求項２】
請求項１記載の公営競技会員カード発行利用システムにおいて、
挿入された会員カードに記録されている会員ＩＤと現金の入金額とを含む入金通知を前記公営競技会員管理サーバへ送信する構成を有すると共に、挿入された会員カードに記録されている会員ＩＤと要求された出金額とを含む出金要求を前記公営競技会員管理サーバへ送信し、前記出金要求に応答して前記サーバから出金許可が送られてきたとき、前記出金額の現金を払い出す構成を有する会員入出金端末を備え、且つ、
前記公営競技会員管理サーバが、
会員ＩＤに対応付けて投票資金額が登録された投票資金記憶部と、
前記会員入出金端末から会員ＩＤと入金額とを含む入金通知が送られてきたとき、前記会員ＩＤに対応付けて前記投票資金記憶部に登録されている投票資金額を前記入金額だけ増加させ、前記会員入出金端末から会員ＩＤと出金額とを含む出金要求が送られてきたとき、前記会員ＩＤと対応付けて前記投票資金記憶部に登録されて投票資金額に基づいて出金可能か否かを判定し、出金可能な場合は前記会員入出金端末に対して出金許可を送信すると共に、前記登録されている投票資金額を前記出金額だけ減少させる会員入出金処理部とを備えることを特徴とする公営競技会員カード発行利用システム。
【請求項３】
請求項２記載の公営競技会員カード発行利用システムにおいて、
前記会員入出金処理部が、
ネットワークを介して会員端末から会員ＩＤと銀行口座からの引き落とし額とを含む引き落とし通知が送られてきたとき、前記銀行口座から前記引き落とし額を引き落とし、前記会員ＩＤに対応付けて前記投票資金記憶部に登録されている投票資金額を前記引き落とし額だけ増加させ、ネットワークを介して会員端末から会員ＩＤと銀行口座への振り込み額とを含む振り込み通知が送られてきたとき、前記会員ＩＤと対応付けて前記投票資金記憶部に登録されている投票資金額に基づいて振り込み可能か否かを判定し、振り込み可能な場合は、前記銀行口座へ前記振り込み額を振り込むと共に、前記登録されている投票資金額を前記振り込み額だけ減少させる構成を有することを特徴とする公営競技会員カード発行利用システム。
【請求項４】
請求項２または３記載の公営競技会員カード発行利用システムにおいて、
挿入された会員カードに記録されている会員ＩＤを含む入場要求を前記公営競技会員管理サーバへ送信し、前記入場要求に応答して前記公営競技会員管理サーバから入場許可が送られてきたとき、入場ゲートを開放する会員入場装置を備え、且つ、
前記公営競技会員管理サーバが、
前記会員入場端末から会員ＩＤを含む入場要求が送られてきたとき、前記会員ＩＤに対応付けて前記投票資金記憶部に登録されている投票資金額に基づいて入場可能か否かを判定し、入場可能な場合は、前記会員入場装置に対して入場許可を送信すると共に、前記登録されている投票資金額を入場料だけ減少させる会員入場管理部を備えたことを特徴とする公営競技会員カード発行利用システム。
【請求項５】
請求項２または３記載の公営競技会員カード発行利用システムにおいて、
挿入された会員カードに記録されている会員ＩＤ、投票内容および投票金額を含む投票通知を前記公営競技会員管理サーバへ送信するカード投票端末を備え、且つ、
前記公営競技会員管理サーバが、
会員ＩＤに対応付けて投票内容と投票金額とが格納される投票履歴記憶部と、
前記カード投票端末から会員ＩＤ、投票内容および投票金額を含む投票通知が送られてきたとき、前記会員ＩＤに対応付けて前記投票資金記憶部に登録されている投票資金額に基づいて投票可能か否かを判定し、投票可能であると判定した場合、前記投票履歴記憶部に前記会員ＩＤに対応付けて投票内容および投票金額を登録する会員投票処理部を備えたことを特徴とする公営競技会員カード発行利用システム。
【請求項６】
請求項５記載の公営競技会員カード発行利用システムにおいて、
前記投票履歴記憶部の内容と競技結果とに基づいて、的中した会員の会員ＩＤに対応付け前記投票資金記憶部に登録されている投票資金額を、払戻額だけ増加させる会員払戻処理部を備えたことを特徴とする公営競技会員カード発行利用システム。
【請求項７】
請求項１記載の公営競技会員カード発行利用システムにおいて、
前記公営競技会員管理サーバが、
会員ＩＤに対応付けて特典ポイントが登録された特典ポイント記憶部と、
会員の投票の近日性、頻度、累積金額に基づいて特典ポイントを計算し、前記会員の会員ＩＤと対応付けて前記特典ポイント記憶部に登録する特典ポイント管理部を備えたことを特徴とする公営競技会員カード発行利用システム。
【請求項８】
請求項１記載の公営競技会員カード発行利用システムにおいて、
挿入された会員カードに記録されている会員ＩＤを含む情報提供要求を前記公営競技会員管理サーバへ送信し、前記情報提供要求に応答して前記公営競技会員管理サーバから送られてきた会員専用情報を出力する会員専用情報提供端末を備え、且つ、
前記公営競技会員管理サーバが、
前記会員専用情報提供端末から情報提供要求が送られてきたとき、前記会員専用情報を前記会員専用情報提供端末へ送信する会員専用情報管理部を備えたことを特徴とする公営競技会員カード発行利用システム。
【発明の詳細な説明】
【技術分野】
【０００１】
本発明は、競馬、競艇、競輪、オートレース等の公営競技における会員カード発行利用システムに関し、特に、会員登録および会員カードの発行を迅速に行うことができる公営競技会員カード発行利用システムに関する。
【背景技術】
【０００２】
公営競技における現行の会員制度には、電話投票会員制とインタネット投票会員制との２つがあり、会員登録の手順は、共に次のようなものであった。会員登録申し込み者は、電話などにより公営競技の主催者に対して会員登録を行いたい旨通知する。主催者は、会員登録申し込み者に対して申込用紙の現物を郵送する。会員登録申し込み者は、住民票の交付を受け、住民票の現物と記入済の申込用紙の現物とを主催者へ郵送する。主催者は、郵送されてきた書類を審査する。そして、承認した場合には、その旨の発信書と開設した銀行口座の通帳とを会員登録申し込み者へ郵送する。
【０００３】
また、会員に会員カードを渡し、この会員カードを用いてキャッシュレスで投票を行えるようにしたシステムも従来から提案されている（例えば、特許文献１，２参照）。
【特許文献１】特開昭５９−５２３７３号公報
【特許文献２】特開平１−１８５７８９号公報
【発明の開示】
【発明が解決しようとする課題】
【０００４】
上述したように従来は公営競技の会員になろうとする場合、会員登録申し込み者と主催者との間で、郵送により必要書類をやり取りしなければならないため、会員登録申し込み者が会員として登録されるまでに多くの時間が費やされるという問題があった。なお、特許文献１，２には、どのようにして会員登録、会員カードの発行を行うかについては、全く開示されていない。
【０００５】
そこで、本発明の目的は、会員登録および会員カードの発行を迅速に行えるようにすることにある。
【課題を解決するための手段】
【０００６】
本発明にかかる第１の公営競技会員カード発行利用システムは、会員登録および会員カードの発行を迅速に行えるようにするため、
公営競技会員管理サーバと、会員登録端末とを含む公営競技会員カード発行利用システムにおいて、
前記会員登録端末が、
会員登録申し込み者の身分証明書を読み取る画像読み取り装置と、
該画像読み取り装置が読み取った前記身分証明書の画像データ、前記会員登録申し込み者の属性情報および前記会員登録申し込み者が希望するパスワードを含む会員登録要求を前記公営競技会員管理サーバへ送信し、該会員登録要求に応答して前記公営競技会員管理サーバから会員ＩＤを含むカード発行許可通知が送られてきたとき、前記会員ＩＤを記録した会員カードを発行する制御部とを備え、
前記公営競技会員管理サーバが、
会員情報が登録される会員情報記憶部と、
前記会員登録端末から会員登録要求が送られてきたとき、該会員登録要求中の画像データに基づいて適法性を判定し、適法であると判定した場合、前記会員登録申し込み者に対する会員ＩＤを生成し、該生成した会員ＩＤを含むカード発行許可通知を前記会員登録端末へ送信すると共に、前記会員情報記憶部に前記会員ＩＤ、前記会員登録申し込み者の属性情報および前記会員登録申し込み者が希望したパスワードを含んだ会員情報を登録する会員登録処理部とを備えたことを特徴とする。
【０００７】
本発明にかかる第２の公営競技会員カード発行利用システムは、競技場内で現金を持ち歩かなくても投票などを可能にするため、第１の公営競技会員カード発行利用システムにおいて、
挿入された会員カードに記録されている会員ＩＤと現金の入金額とを含む入金通知を前記公営競技会員管理サーバへ送信する構成を有すると共に、挿入された会員カードに記録されている会員ＩＤと要求された出金額とを含む出金要求を前記公営競技会員管理サーバへ送信し、前記出金要求に応答して前記サーバから出金許可が送られてきたとき、前記出金額の現金を払い出す構成を有する会員入出金端末を備え、且つ、
前記公営競技会員管理サーバが、
会員ＩＤに対応付けて投票資金額が登録された投票資金記憶部と、
前記会員入出金端末から会員ＩＤと入金額とを含む入金通知が送られてきたとき、前記会員ＩＤに対応付けて前記投票資金記憶部に登録されている投票資金額を前記入金額だけ増加させ、前記会員入出金端末から会員ＩＤと出金額とを含む出金要求が送られてきたとき、前記会員ＩＤと対応付けて前記投票資金記憶部に登録されて投票資金額に基づいて出金可能か否かを判定し、出金可能な場合は前記会員入出金端末に対して出金許可を送信すると共に、前記登録されている投票資金額を前記出金額だけ減少させる会員入出金処理部とを備えることを特徴とする。
【０００８】
本発明にかかる第３の公営競技会員カード発行利用システムは、競走場の外部からも投票資金の出し入れを可能にするため、
請求項２記載の公営競技会員カード発行利用システムにおいて、
前記会員入出金処理部が、
ネットワークを介して会員端末から会員ＩＤと銀行口座からの引き落とし額とを含む引き落とし通知が送られてきたとき、前記銀行口座から前記引き落とし額を引き落とし、前記会員ＩＤに対応付けて前記投票資金記憶部に登録されている投票資金額を前記引き落とし額だけ増加させ、ネットワークを介して会員端末から会員ＩＤと銀行口座への振り込み額とを含む振り込み通知が送られてきたとき、前記会員ＩＤと対応付けて前記投票資金記憶部に登録されている投票資金額に基づいて振り込み可能か否かを判定し、振り込み可能な場合は、前記銀行口座へ前記振り込み額を振り込むと共に、前記登録されている投票資金額を前記振り込み額だけ減少させる構成を有することを特徴とする。
【０００９】
本発明にかかる第４の公営競技会員カード発行利用システムは、競走場への入場手続を簡易化するため、第２，第３の公営競技会員カード発行利用システムにおいて、
挿入された会員カードに記録されている会員ＩＤを含む入場要求を前記公営競技会員管理サーバへ送信し、前記入場要求に応答して前記公営競技会員管理サーバから入場許可が送られてきたとき、入場ゲートを開放する会員入場装置を備え、且つ、
前記公営競技会員管理サーバが、
前記会員入場端末から会員ＩＤを含む入場要求が送られてきたとき、前記会員ＩＤに対応付けて前記投票資金記憶部に登録されている投票資金額に基づいて入場可能か否かを判定し、入場可能な場合は、前記会員入場装置に対して入場許可を送信すると共に、前記登録されている投票資金額を入場料だけ減少させる会員入場管理部を備えたことを特徴とする。
【００１０】
本発明にかかる第５の公営競技会員カード発行利用システムは、現金を持ち歩かずに投票できるようにするため、第２，第３の会員カード発行利用システムにおいて、
挿入された会員カードに記録されている会員ＩＤ、投票内容および投票金額を含む投票通知を前記公営競技会員管理サーバへ送信するカード投票端末を備え、且つ、
前記公営競技会員管理サーバが、
会員ＩＤに対応付けて投票内容と投票金額とが格納される投票履歴記憶部と、
前記カード投票端末から会員ＩＤ、投票内容および投票金額を含む投票通知が送られてきたとき、前記会員ＩＤに対応付けて前記投票資金記憶部に登録されている投票資金額に基づいて投票可能か否かを判定し、投票可能であると判定した場合、前記投票履歴記憶部に前記会員ＩＤに対応付けて投票内容および投票金額を登録する会員投票処理部を備えたことを特徴とする。
【００１１】
本発明にかかる第６の公営競技会員カード発行利用システムは、的中したレースの払戻金を自動的に投票資金に組み込めるようにするため、第５の公営競技会員カード発行利用システムにおいて、
前記投票履歴記憶部の内容と競技結果とに基づいて、的中した会員の会員ＩＤに対応付け前記投票資金記憶部に登録されている投票資金額を、払戻額だけ増加させる会員払戻処理部を備えたことを特徴とする。
【００１２】
本発明にかかる第７の公営競技会員カード発行利用システムは、会員の投票の頻度などに応じた特定ポイントを会員に与えられるようにするため、第１の公営競技会員カード発行利用システムにおいて、
前記公営競技会員管理サーバが、
会員ＩＤに対応付けて特典ポイントが登録された特典ポイント記憶部と、
会員の投票の近日性、頻度、累積金額に基づいて特典ポイントを計算し、前記会員の会員ＩＤと対応付けて前記特典ポイント記憶部に登録する特典ポイント管理部を備えたことを特徴とする。
【００１３】
本発明にかかる第８の公営競技会員カード発行利用システムは、会員が一般ファンよりも充実した会員専用情報を取得できるようにするため、第１の公営競技会員カード発行利用システムにおいて、
挿入された会員カードに記録されている会員ＩＤを含む情報提供要求を前記公営競技会員管理サーバへ送信し、前記情報提供要求に応答して前記公営競技会員管理サーバから送られてきた会員専用情報を出力する会員専用情報提供端末を備え、且つ、
前記公営競技会員管理サーバが、
前記会員専用情報提供端末から情報提供要求が送られてきたとき、前記会員専用情報を前記会員専用情報提供端末へ送信する会員専用情報管理部を備えたことを特徴とする。
【発明の効果】
【００１４】
本発明にかかる第１の公営競技会員カード発行利用システムによれば、会員登録および会員カードの発行を迅速に行うことが可能になる。その理由は、登録申し込み者の身分証明書の画像データを公営競技会員管理サーバに送信する会員登録端末を備えると共に、公営競技会員管理サーバが上記画像データに基づいて適法性を判定する会員登録処理部を備えているからである。
【００１５】
本発明にかかる第２の公営競技会員カード発行利用システムによれば、競技場内で現金を持ち歩く必要がなくなる。その理由は、公営競技会員管理サーバが、投票資金記憶部を用いて会員の投票資金を管理する会員入出金処理部とを備えているからである。
【００１６】
本発明にかかる第３の公営競技会員カード発行利用システムによれば、競走場の外部からも投票資金の出し入れを行うことが可能となる。その理由は、公営競技会員管理サーバが、ネットワークを介して会員端末から送られてくる引き落とし通知や、振り込み通知に従って、投票資金記憶部に登録されている会員の投票資金を更新する会員入出金処理部を備えているからである。
【００１７】
本発明にかかる第４の公営競技会員カード発行利用システムによれば、競走場への入場手続を簡易化することが可能になる。その理由は、会員カードの挿入、パスワードの入力により入場を許可する会員入場装置を備えているからである。
【００１８】
本発明にかかる第５の公営競技会員カード発行利用システムによれば、現金を持ち歩かずに投票を行うことが可能になる。その理由は、公営競技会員管理サーバが、カード投票端末からの投票内容などを含む投票通知に従って、投票履歴記憶部に投票履歴を登録する会員投票処理部を備えているからである。
【００１９】
本発明にかかる第６の公営競技会員カード発行利用システムによれば、的中したレースの払戻金を自動的に投票資金に組み込むことが可能になる。その理由は、公営競技会員管理サーバが、投票履歴記憶部の内容と競技結果とに基づいて、的中した会員の会員ＩＤに対応付けて投票資金記憶部に登録されている投票資金額を、払い戻し額だけ増加させる会員払戻処理部を備えているからである。
【００２０】
本発明にかかる第７の公営競技会員カード発行利用システムによれば、会員の投票の頻度などに応じた特定ポイントを会員に与えることができる。その理由は、公営競技会員管理サーバが、会員の投票の近日性、頻度、累積金額に応じた特典ポイントを特典ポイント記憶部に登録する特典ポイント管理部を備えているからである。
【００２１】
本発明にかかる第８の公営競技会員カード発行利用システムによれば、会員が一般ファンよりも充実した会員専用情報を取得することが可能になる。その理由は、公営競技会員管理サーバが、会員専用情報提供端末からの情報提供要求に従って、会員専用情報を会員専用情報提供端末へ送信する会員専用情報管理部を備えているからである。
【発明を実施するための最良の形態】
【００２２】
次に本発明の実施の形態について図面を参照して詳細に説明する。
【００２３】
〔構成の説明〕
図１は本発明にかかる公営競技会員カード発行利用システムの実施の形態の全体構成例を示すブロック図である。同図を参照すると、公営競技会員カード発行利用システムは、公営競技会員管理サーバ１と、データベース２と、会員登録端末３と、会員入出金端末４と、カード投票端末５と、カード払戻端末６と、会員入場装置７と、売店端末８と、会員専用情報提供端末９と、カード読み書き端末１０と、会員端末１１と、会員カードＫとから構成されている。
【００２４】
公営競技会員管理サーバ１は、公営競技の主催者によって運営されるサーバであり、コンピュータによって実現される。この公営競技会員管理サーバ１には、インターネット等のネットワーク１２を介して携帯電話機，携帯端末，パーソナルコンピュータ，ディジタル・テレビ，マルチメディア端末などによって実現される会員端末１１が接続され、更に、専用回線などの回線１３を介して会員登録端末３，会員入出金端末４，カード投票端末５，カード払戻端末６，会員入場装置７，売店端末８，会員専用情報提供端末９，カード読み書き端末１０が接続されている。また、公営競技会員管理サーバ１には、データベース２も接続されている。
【００２５】
図２はデータベース２の構成例を示す図であり、会員情報記憶部２０１と、入場履歴記憶部２０２と、投票履歴記憶部２０３と、払戻履歴記憶部２０４と、投票資金記憶部２０５と、特典ポイント記憶部２０６と、会員専用情報記憶部２０７とを備えている。
【００２６】
会員情報記憶部２０１には、図３に示すように、会員ＩＤに対応付けて、会員の氏名、住所、パスワードおよび銀行の口座番号が登録されている。同図の例は、会員ＩＤ「ＩＤａ」の会員は、氏名が「ｂｂｂ」、住所が「ｃｃｃ」、パスワードが「ｄｄｄ」、口座番号が「ｅｅｅ」であることを示している。
【００２７】
入場履歴記憶部２０２には、図４に示すように、会員ＩＤに対応付けて、その会員が競走場に入場した年月日が登録されている。同図の例は、会員ＩＤ「ＩＤａ」の会員は、「Ａ年Ｂ月Ｃ日」、「Ｘ年Ｙ月Ｚ日」、…に入場したことを示している。この入場履歴記憶部２０２に登録されている入場履歴は、会員に付与する特定ポイントを決定する際に利用される。
【００２８】
投票履歴記憶部２０３には、図５に示すように、会員ＩＤに対応付けて、投票内容と、投票金額とが登録されている。同図の例は、会員ＩＤ「ＩＤａ」の会員は、投票内容「ｆｆｆ」、投票金額「１０００円」の投票を行ったことを示している。なお、投票内容にはレース特定情報ｆ'ｆ'ｆ'も含まれている。
【００２９】
払戻履歴記憶部２０４には、図６に示すように、会員ＩＤに対応付けて、払戻を受けたレースを特定するレース特定情報と、払戻金額とが登録される。同図の例は、会員ＩＤ「ＩＤａ」の会員は、レース特定情報「ｆ'ｆ'ｆ'」によって特定されるレースにおいて、予想が的中し、「１００００円」の払戻を受けたことを示している。
【００３０】
投票資金記憶部２０５には、図７に示すように、会員ＩＤに対応付けて、投票資金額（投票等に利用できる金額）が登録されている。同図の例は、会員ＩＤ「ＩＤａ」の会員は、投票資金が「５００００円」残っていることを示している。
【００３１】
特典ポイント記憶部２０６には、図８に示すように、会員ＩＤに対応付けて、特典ポイントが登録されている。同図の例は、会員ＩＤ「ＩＤａ」の会員は、特典ポイントが「１２００ポイント」貯まっていることを示している。
【００３２】
図９は公営競技会員管理サーバ１の構成例を示すブロック図であり、送受信部１０１と、会員登録処理部１０２と、会員入場管理部１０３と、会員投票処理部１０４と、特定ポイント管理部１０５と、会員払戻処理部１０６と、会員入出金処理部１０７と、会員専用情報管理部１０８とを備えている。
【００３３】
送受信部１０１は、ネットワーク１２や回線１３を介してデータを送受信する機能を有する。
【００３４】
会員登録処理部１０２は、次のような機能を有する。
【００３５】
・会員登録端末３から会員登録申し込み者の属性情報（氏名，住所など）と、希望パスワードと、身分証明書の画像データとを含む会員登録要求が送られてきたとき、上記画像データ中の生年月日に基づいて会員登録申し込み者の適法性を判定する。適法であると判定した場合、会員登録端末３に対してカード発行許可通知を送信すると共に、会員情報記憶部２０１に会員情報を登録する。
【００３６】
会員入場管理部１０３は、次のような機能を有する。
【００３７】
・会員入場装置７から会員ＩＤを含む入場要求が送られてきたとき、上記会員ＩＤに対応付けて投票資金記憶部２０５に登録されている投票資金額に基づいて入場可能か否かを判定する。入場可能と判定した場合、会員入場装置７に対して入場許可を送信する。更に、上記会員ＩＤに対応付けて投票資金記憶部２０５に登録されている投票資金額を入場料だけ減少させると共に、入場履歴記憶部２０２に入場履歴を追加登録する。
【００３８】
会員入出金処理部１０７は、次のような機能を有する。
【００３９】
・会員入出金端末４から会員ＩＤと入金額とパスワードとを含む入金通知が送られてきたとき、パスワードに基づいた認証処理を行う。認証ＯＫであれば、上記会員ＩＤに対応付けて投票資金記憶部２０５に登録されている投票資金額を上記入金額だけ増加させる。
・会員入出金端末４から会員ＩＤと出金額とパスワードとを含む出金要求が送られてきたとき、認証処理を行う。認証ＯＫであれば、上記会員ＩＤと対応付けて投票資金記憶部２０５に登録されている投票資金額に基づいて出金可能か否かを判定し、出金可能な場合は、会員入出金端末４に対して出金許可を送信すると共に、投票資金記憶部２０５に登録されている投票資金額を上記出金額だけ減少させる。
・ネットワーク１２を介して会員端末１１から会員ＩＤとパスワードと銀行口座からの引き落とし額とを含む引き落とし通知が送られてきたとき、認証処理を行う。認証ＯＫであれば、上記銀行口座から指定された引き落とし額を引き落とし、上記会員ＩＤに対応付けて投票資金記憶部２０５に登録されている投票資金額を上記引き落とし額だけ増加させる。
・ネットワーク１２を介して会員端末１１から会員ＩＤとパスワードと銀行口座への振り込み額とを含む振り込み通知が送られてきたとき、認証処理を行う。認証ＯＫであれば、上記会員ＩＤと対応付けて投票資金記憶部２０５に登録されている投票資金額に基づいて振り込み可能か否かを判定し、振り込み可能な場合は、上記銀行口座へ指定された振り込み額を振り込むと共に、投票資金記憶部２０５に登録されている投票資金額を上記振り込み額だけ減少させる。
【００４０】
会員投票処理部１０４は、次のような機能を有する。
【００４１】
・カード投票端末５から会員ＩＤ、パスワード投票内容および投票金額を含む投票通知が送られてきたとき、認証処理を行う。認証ＯＫであれば、上記会員ＩＤに対応付けて投票資金記憶部２０５に登録されている投票資金額に基づいて投票可能か否かを判定する。そして、投票可能であると判定した場合は、投票履歴記憶部２０３に、上記会員ＩＤに対応付けてレース特定情報、投票内容および投票金額を登録する。。
【００４２】
会員払戻処理部１０６は、次のような機能を有する。
【００４３】
・投票履歴記憶部２０３の内容とレース結果とに基づいて、予想が的中した会員の会員ＩＤに対応付けて投票資金記憶部２０５に登録されている投票資金額を、払い戻し額だけ増加させると共に、払戻履歴を払戻履歴記憶部２０４に追加登録する。
【００４４】
特定ポイント管理部１０５は、次のような機能を有する。
【００４５】
・会員の投票の近日性、頻度、累積金額等に応じた特典ポイントを算出し、算出した特典ポイントを特典ポイント記憶部２０６に登録する。
・カード読み書き端末１０から会員ＩＤ、パスワードを含む特典ポイント要求が送られてきたとき、認証処理を行う。認証ＯＫの場合、上記会員ＩＤと対応付けて特典ポイント記憶部２０６に登録されている特典ポイントをカード読み書き端末１０へ送信する。
・売店端末８から会員ＩＤと利用特典ポイント数（会員が店舗での飲食等に使用した特典ポイント数）とが送られてきたとき、特典ポイント記憶部２０６に登録されている上記会員の特典ポイントを利用特典ポイント数だけ減少させる。
【００４６】
会員専用情報管理部１０８は、次のような機能を有する。
【００４７】
・会員専用情報提供端末９から会員ＩＤおよびパスワードを含む情報提供要求が送られてきたとき、パスワードに基づいた認証を行う。認証ＯＫの場合、会員専用情報記憶部２０７に登録されている会員専用情報を会員専用情報提供端末９へ送信する。
【００４８】
次に、競走場内に設置されている各端末，装置について説明する。
【００４９】
会員登録端末３は、会員登録申し込み時に使用される端末であり、その外観を図１０の斜視図に示す。同図に示すように、会員登録端末３には、会員カードＫを排出するカード排出口３１と、申し込み操作のガイダンスを表示したり、会員登録申し込み者の属性情報や希望するパスワードなどを入力するタッチパネル付き表示部３２と、会員登録申し込み者の身分証明書３４が載せられる身分証明書読み取り面３３とが設けられている。
【００５０】
図１１は、会員登録端末３の内部構成例を示すブロック図であり、カード処理機構３０１と、ＣＰＵ等によって実現される制御部３０２と、送受信部３０３と、イメージスキャナ等の画像読み取り装置３０４と、タッチパネル付き表示部３２とを備えている。なお、図１１において、図１０と同一符号は同一部分を表している。
【００５１】
画像読み取り装置３０４は、身分証明書読み取り面３３に載せられた身分証明書３４を光学的に読み取り、その画像データを出力する。
【００５２】
制御部３０２は、次のような機能を有する。
【００５３】
・タッチパネル付き表示部３２から入力された登録申し込み者の属性情報および希望パスワードと、画像読み取り装置３０４が読み取った身分証明書３４の画像データとを含んだ会員登録要求を公営競技会員管理サーバ１へ送信する。
・公営競技会員管理サーバ１から会員ＩＤを含むカード発行許可通知が送られてきたとき、カード処理機構３０１を利用して、会員の氏名を印字し、会員ＩＤを磁気的あるいは電気的に記録した会員カードＫを作成し、カード排出口３１から排出する。なお、会員カードＫとしては、磁気カード、ＩＣカードや、ＲＦＩＤタグを利用した非接触で読み書き可能なカードなどを利用することができる。
【００５４】
会員入出金端末４は、会員が、投票資金記憶部２０５に登録されている投票資金額の範囲内で現金を引き出したり、現金を投入して投票資金記憶部２０５に登録されている投票資金額を増額させるために使用する端末であり、会員カードＫの挿入口や、現金の入出金口や、タッチパネル付き表示部などを備えている。会員カードＫが挿入口に挿入され、入出金口に現金が投入されると、会員カードＫに記録されている会員ＩＤとを含む入金通知を公営競技会員管理サーバ１へ送信する。また、会員カードが挿入され、タッチパネル付き表示部から出金額が入力されると、公営競技会員管理サーバ１へ会員ＩＤと出金額とを含む出金要求を送信し、これに応答して公営競技会員管理サーバ１から出金許可が送られてきた場合、現金の払い戻しを行う。
【００５５】
カード投票端末５は、会員が会員カードＫを使用して投票を行うための端末であり、会員カードＫの挿入口や、タッチパネル付き表示部などを備えている。会員カードＫが挿入口に挿入され、投票内容および投票金額がタッチパネル付き表示部から入力されると、会員ＩＤ、投票内容および投票金額を含んだ投票通知を公営競技会員管理サーバ１へ送信する。
【００５６】
カード払戻端末６は、会員が会員カードＫを利用して、投票資金記憶部２０５に登録されている投票資金額の範囲内で現金を引き出すための端末であり、会員カードＫの挿入口や、現金の出金口などを有している。会員カードＫが挿入口から挿入され、タッチパネル付き表示部から出金額が入力されると、公営競技会員管理サーバ１に対して会員ＩＤと出金額とを含む払戻要求を送信し、これに応答して公営競技会員管理サーバ１から払戻許可が送られてきた場合、現金の払い戻しを行う。
【００５７】
会員入場装置７は、競走場の入場口に設置され、会員が会員カードＫを用いて入場する際に使用される端末である。会員入場装置７は、会員によって会員カードＫが挿入され、且つパスワードが入力されると、会員カードＫに記録されている会員ＩＤおよびパスワードを含んだ入場要求を公営競技会員管理サーバ１へ送信し、これに応答して公営競技会員管理サーバ１から入場許可が送られてきたとき、入場ゲートを開放する。
【００５８】
売店端末８は、特典ポイントを利用して飲食などを行う場合に利用する端末である。会員カードＫが挿入され、利用特典ポイント数およびパスワードが入力されると、会員ＩＤ、利用特典ポイント数およびパスワードを含んだポイント利用通知を公営競技会員管理サーバ１へ送信すると共に、会員カードＫに記録されている特典ポイントを利用特典ポイント数だけ減少させる。
【００５９】
会員専用情報提供端末９は、会員が会員カードＫを使用して、会員専用情報を取得する際に利用する端末である。会員カードＫが入力されると、それに記録されている会員ＩＤを含んだ情報提供要求を公営競技会員管理サーバ１へ送信し、これに応答して公営競技会員管理サーバ１から送られてきた会員専用情報を出力する。
【００６０】
カード読み書き端末１０は、会員が、特典ポイント記憶部２０６で管理されている特典ポイントを自身の会員カードＫに書き込んだり、会員カードＫに記録されている特典ポイントを確認するために使用する端末である。カード読み書き端末１０は、会員カードＫが挿入されると、それに記録されている特典ポイントを表示する。その後、会員によって、パスワードが入力され、特典ポイントの更新が指示されると、会員カードＫに記録されている会員ＩＤおよびパスワードを含んだ特典ポイント要求を公営競技会員管理サーバ１に送信し、これに応答して公営競技会員管理サーバ１から特典ポイントが送られてくると、会員カードＫに上記特典ポイントを書き込むと共に、上記特典ポイントを表示部に表示する。
【００６１】
〔動作の説明〕
次に本実施の形態に動作について詳細に説明する。
【００６２】
〔会員登録申し込み時〕
先ず、会員登録申し込み時の動作について説明する。会員登録申し込み者は、会員登録端末３の設置場所に出向き、タッチパネル付き表示部３２から自身の属性情報（氏名、住所など）と希望するパスワードを入力する（図１２、ステップＳ1201）。なお、銀行口座を利用した入出金を行うことを希望する場合には、その口座番号も入力する。その後、会員登録申し込み者は、身分証明書読み取り面３３に自身の身分証明書３４を載せ（生年月日等が読み取れるように載せる）、画像読み取り装置３０４にその画像データを読み取らせる（ステップＳ1202）。制御部３０２は、会員登録申し込み者の属性情報、希望パスワード及び身分証明書の画像データを含んだ会員登録要求を公営競技会員管理サーバ１へ送信する（ステップＳ1203）。
【００６３】
公営競技会員管理サーバ１内の会員登録処理部１０２は、送受信部１０１を介して会員登録要求を受信すると、先ず、身分証明書の画像データに対する文字認識を行い、会員登録申し込み者の生年月日等を認識する（ステップＳ1204）。その後、認識した生年月日等に基づいて会員登録申し込み者の適法性を判定する（ステップＳ1205）。なお、ステップ1204において、生年月日等を認識できなかった場合は、表示部（図示せず）に身分証明書の画像データを表示し、係員に適法性を判定させる。
【００６４】
そして、会員登録申し込み者が適法性を満たしていないと判定した場合、会員登録処理部１０２は、会員登録端末３に対して会員登録できない旨を通知する。これに対して。適法であると判定した場合は、会員登録申し込み者が既に会員登録を行っているか否かをチェックする（ステップＳ1206）。即ち、会員情報記憶部２０１に、会員登録申し込み者の属性情報と同一の属性情報が登録されているか否かを調べるころにより、二重登録をチェックする。
【００６５】
ステップＳ1206で二重登録であると判定した場合、会員登録処理部１０２は、会員登録端末３に対して会員登録を行えない旨通知する。これに対して、二重登録でない場合は、会員ＩＤを生成し、この会員ＩＤと、登録要求に含まれていた各情報とを会員情報記憶部２０１に登録する（ステップＳ1208）。その後、会員登録処理部１０２は、会員ＩＤを含んだカード発行許可通知を会員登録端末３へ送信する（ステップＳ1209）。
【００６６】
会員登録端末３内の制御部３０２は、カード発行許可通知を受信すると、カード処理機構３０１を使用して会員カードＫを作成し、作成した会員カードＫをカード排出口３１から排出する（ステップＳ1210，Ｓ1211）。なお、ステップＳ1211においては、タッチパネル付き表示部３２に希望パスワードが認証されたことも表示する。
【００６７】
〔会員入出金端末４を用いた入出金〕
次に、会員が会員入出金端末４を用いて入出金する場合の動作について説明する。
【００６８】
先ず、会員が会員入出金端末４を用いて、データベース２の投票資金記憶部２０５で管理されている自身の投票資金を増額する場合の動作について説明する。この場合、会員は、会員入出金端末４の設置場所に出向き、会員カードＫを挿入する（図１３、ステップＳ1301）。これにより、会員入出金端末４は会員カードＫに記録されている投票資金額を表示する。なお、会員カードＫに記録されている投票資金額は、会員端末１１を用いた投票資金の入出金が行われた場合、投票資金記憶部２０５で管理されている投票資金額と異なるものになっている場合がある。次に、会員は、投票資金の入金を選択し、その後、パスワードを入力すると共に現金を現金投入口に投入する（ステップＳ1302，Ｓ1303）。これにより、会員入出金端末４は、会員カードＫに記録されている会員ＩＤ、パスワード及び入金額とを含む入金通知を公営競技会員管理サーバ１へ送信する（ステップＳ1304）。
【００６９】
公営競技会員管理サーバ１内の会員入出金処理部１０７は、入金通知が送られてくると、それに含まれている会員ＩＤ、パスワードと、会員情報記憶部２０１に登録されている会員ＩＤ、パスワードとに基づいた認証処理を行う（ステップＳ1305）。そして、認証ＮＧの場合は、会員入出金端末４にその旨通知する。これに対して、認証ＯＫの場合は、上記会員ＩＤと対応付けて投票資金記憶部２０５に登録されている投票資金額を入金額だけ増加させ、その後、増加後の投票資金額を含む入金完了通知を会員入出金端末４へ送信する（ステップＳ1306，Ｓ1307）。
【００７０】
会員入出金端末４は、入金完了通知が送られてくると、それを表示部に表示し、その後、入金完了通知によって通知された投票資金額を会員カードＫに書き込み、排出する（ステップＳ1308，Ｓ1309）。
【００７１】
次に、会員が会員入出金端末４を用いて、投票資金記憶部２０５で管理されている投票資金を現金化（出金）する場合の動作について説明する。この場合、会員は、会員入出金端末４に会員カードＫを挿入する（図１４、ステップＳ1401）。これにより、会員入出金端末４は、会員カードＫに記録されている投票資金額を表示部に表示する。次に、会員は投票資金の出金を選択し、その後、パスワード及び出金額を入力する（ステップＳ1402，Ｓ1403）。これにより、会員入出金端末４は、会員ＩＤ、パスワード及び出金額を含んだ出金要求を公営競技会員管理サーバ１へ送信する（ステップＳ1404）。
【００７２】
公営競技会員管理サーバ１内の会員入出金処理部１０７は、会員入出金端末４から出金要求が送られてくると、会員ＩＤ，パスワードによる認証処理を行う（ステップＳ1405）。そして、認証ＮＧの場合は、その旨を会員入出金端末４へ通知する。これに対して、認証ＯＫの場合は、上記会員ＩＤに対応付けて投票資金記憶部２０５に登録されている投票資金と要求された出金額とを比較し、出金可能か否かを判定する（ステップＳ1406）。そして、出金不可能と判定した場合（要求された出金額の方が多い場合）は、その旨を会員入出金端末４に通知する。これに対して、出金可能な場合は、上記会員ＩＤと対応付けて投票資金記憶部２０５に登録されている投票資金額を出金額だけ減少させ、その後、更新後の投票資金額を含んだ出金許可を会員入出金端末４へ送信する（ステップＳ1407，Ｓ1408）。
【００７３】
会員入出金端末４は、公営競技会員管理サーバ１から出金許可が送られてくると、会員によって要求されている金額の現金を払い出し、その後、出金許可に含まれている投票資金額を会員カードＫに書き込み、排出する（Ｓ1409，Ｓ1410）。
【００７４】
〔会員端末１１を用いた入出金〕
次に、会員が会員端末１１を用いて入出金する場合の動作について説明する。
【００７５】
先ず、会員が会員端末１１を用いて、データベース２の投票資金記憶部２０５で管理されている自身の投票資金を増額する場合の動作について説明する。この場合、会員は、会員端末１１から公営競技会員管理サーバ１の会員入出金処理部１０７にアクセスし、自身の会員ＩＤ及びパスワードを送信する（図１５、ステップＳ1501）。
【００７６】
公営競技会員管理サーバ１内の会員入出金処理部１０７は、パスワードによる認証処理を行う（ステップＳ1502）。そして、認証ＮＧの場合は、その旨を会員端末１１に通知する。これに対して、認証ＯＫの場合は、入金額を問い合わせる問い合わせ画面を会員端末１１に送信する（ステップＳ1503）。
【００７７】
会員端末１１は、入金額の問い合わせ画面が送られてくると、それを表示部に表示する。会員は問い合わせ画面を用いて入金額を入力する。これにより、端末装置１１は、上記入金額を含む引き落とし通知を公営競技会員管理サーバ１へ送信する（ステップＳ1504）。
【００７８】
会員入出金処理部１０７は、会員が指定している銀行の口座（会員ＩＤに対応付けて会員情報記憶部２０１に登録されている口座）から上記入金額を引き落とすことが可能であるか否かを当該銀行に問い合わせる（ステップＳ1505）。そして、引き落としできない場合は、その旨を会員端末１１に通知する。これに対して、引き落とし可能な場合は、指定されている銀行口座から上記金額を引き落とし、投票資金記憶部２０５に登録されている該当会員の投票資金額を入金額だけ増加させる（ステップＳ1506）。その後、増加後の投票資金を含んだ入金完了通知を会員端末１１へ送信する（ステップＳ1507）。
【００７９】
会員端末１１は、会員入出金処理部１０７から送られてきた入金完了通知を表示部に表示する（ステップＳ1508）。
【００８０】
次に、会員が会員端末１１を用いて投票資金記憶部２０５で管理されている投票資金を銀行口座へ振り込む場合の動作について説明する。この場合、会員は、会員端末１１から公営競技会員管理サーバ１内の会員入出金処理部１０７にアクセスし、自身の会員ＩＤ及びパスワードを送信する（図１６、ステップＳ1601）。
【００８１】
公営競技会員管理サーバ１内の会員入出金処理部１０７は、パスワードによる認証処理を行う（ステップＳ1602）。そして、認証ＮＧの場合は、その旨を会員端末１１に通知する。これに対して、認証ＯＫの場合は、出金額を問い合わせる問い合わせ画面を会員端末１１に送信する（ステップＳ1603）。この問い合わせ画面には、投票資金記憶部２０５に登録されている該当会員の投票資金額も含まれている。
【００８２】
会員端末１１は、出金額の問い合わせ画面が送られてくると、それを表示部に表示する。会員は問い合わせ画面を用いて出金額を入力する。これにより、端末装置１１は、上記出金額を含む振り込み通知を公営競技会員管理サーバ１へ送信する（ステップＳ1604）。
【００８３】
会員入出金処理部１０７は、振り込み通知が送られてくると、投票資金記憶部２０５を参照し、振り込み可能か否かを判定する（ステップＳ1605）。つまり、投票資金記憶部２０５に登録されている投票資金額が出金額以上であるか否かを判定する。そして、振り込み不可能であると判定した場合は、その旨を会員端末１１に通知する。これに対して、振り込み可能であると判定した場合は、該当会員が指定している銀行口座へ指定された出金額を振り込むと共に、投票資金記憶部２０５に登録されている該当会員の投票資金額を上記出金額だけ減少させる（ステップＳ1606，Ｓ1607）。その後、会員入出金処理部１０７は、会員端末１１に対して、更新後の投票資金額を含んだ出金完了通知を送信する（ステップＳ1608）。
【００８４】
会員端末１１は、会員入出金処理部１０７から送られてきた出金完了通知を表示部に表示する（ステップＳ1609）。
【００８５】
〔会員カードを利用した入場〕
次に会員カードＫを利用して競走場へ入場する場合の動作について説明する。
【００８６】
先ず、会員は会員入場装置７へ会員カードを挿入し、その後、パスワードを入場する（図１７、ステップＳ1701，Ｓ1702）。これにより、会員入場装置７は、公営競技会員管理サーバ１に対して、会員カードＫに記録されている会員ＩＤとパスワードとを含む入場要求を送信する（ステップＳ1703）。
【００８７】
公営競技会員管理サーバ１内の会員入場管理部１０３は、入場要求が送られてくると、パスワードによる認証処理を行う（ステップＳ1704）。そして、認証ＮＧの場合は、会員入場装置７に対してその旨を通知する。これにより、会員入場装置７では、会員カードＫの返却、警告メッセージの表示などの処理を行う。これに対して、認証ＯＫの場合は、投票資金記憶部２０５に登録されている該当会員の投票資金額が入場料以上であるか否かを調べる。そして、入場料未満である場合には、会員入場装置７に対して入場不可を通知する。この場合も、会員入場装置７は前述した処理を行う。これに対して、入場料以上であると判断した場合は、投票資金記憶部２０５に登録されている該当会員の投票資金額を入場料だけ減少させ、その後、更新後の投票資金額を含んだ入場許可を会員入場装置７へ送信する（ステップＳ1706，Ｓ1707）。更に、会員入場管理部１０３は、入場履歴記憶部２０２に登録されている該当会員の入場履歴を更新する（ステップＳ1708）。
【００８８】
一方、入場許可を受信した会員入場装置７は、会員カードＫに更新後の投票資金額を記録し、会員に返却する（ステップＳ1709）。更に、会員入場装置７は入場ゲートを開く（ステップＳ1710）。
【００８９】
〔カード投票端末５を使用した投票〕
次に、会員がカード投票端末５を利用して投票を行う場合の動作について説明する。この場合、会員はカード投票端末５の設置場所に出向き会員カードＫを挿入する（図１８、ステップＳ1801）。これにより、カード投票端末５は、会員カードＫに記録されている投票資金額を表示する。その後、会員はパスワード、投票内容、投票金額を入力する（ステップＳ1802，Ｓ1803）。これにより、カード投票端末５は、会員カードＫに記録されている会員ＩＤ、パスワード、投票内容、投票金額を含む投票通知を公営競技会員管理サーバ１へ送信する（ステップＳ1804）。
【００９０】
公営競技会員管理サーバ１内の会員投票処理部１０４は、パスワードによる認証処理後、投票可能であるか否かを判断する（ステップＳ1805，Ｓ1806）。投票可能であると判断した場合（投票資金額≧投票金額の場合）は、投票資金記憶部２０５に登録されている該当会員の投票資金から投票金額を減算すると共に、投票履歴記憶部２０３に投票履歴を追加登録する（ステップＳ1807，Ｓ1808）。その後、会員投票処理部１０４は、更新後の投票資金額を含んだ投票完了通知をカード投票端末５へ送信する（ステップＳ1809）。
【００９１】
カード投票端末５は、投票完了通知を表示し、その後、会員カードＫに投票完了通知中の投票資金を書き込み、会員に返却する（ステップＳ1810，Ｓ1811）。
【００９２】
〔会員端末１１を利用した投票〕
次に会員が会員端末１１を用いて（ネットワーク１２を介して）投票を行う場合の動作について説明する。この場合、会員は、会員端末１１を用いて公営競技会員管理サーバ１内の会員投票処理部１０４にアクセスし、自身の会員ＩＤ及びパスワードを送信する（図１９、ステップＳ1901）。
【００９３】
公営競技会員管理サーバ１内の会員投票処理部１０４は認証処理後、投票内容及び投票金額を問い合わせる問い合わせ画面を会員端末１１へ送信する（ステップＳ1902，Ｓ1903）。
【００９４】
会員端末１１は、会員投票処理部１０４から送られてきた問い合わせ画面を表示する。会員は、この画面を利用して投票内容および投票金額入力する。これにより、会員端末１１は、投票内容および投票金額を含んだ投票通知を公営競技会員管理サーバ１へ送信する（ステップＳ1904）。
【００９５】
公営競技会員管理サーバ１内の会員投票処理部１０４は、投票資金記憶部２０５に登録されている投票資金額と投票金額とに基づいて投票可能か否かを判定する（ステップＳ1905）。そして、投票不可能と判定した場合は、その旨を会員端末１１に通知する。これに対して、投票可能と判定した場合は、投票資金記憶部２０５に登録されている該当会員の投票資金額を投票金額だけ減少させ、その後、投票履歴記憶部２０３に投票履歴を登録する（ステップＳ1906，Ｓ1907）。更に、会員投票処理部１０４は、会員端末１１に投票完了通知を送信する（ステップＳ1908）。
【００９６】
会員端末１１は、会員投票処理部１０４から送られてきた投票完了通知を表示部に表示する（ステップＳ1909）。
【００９７】
〔会員払戻処理部１０６の処理〕
次に会員払戻処理部１０６の処理について説明する。会員払戻処理部１０６は、配当金が確定したレースが発生すると、そのレースを処理対象にして図２０のフローチャートに示す処理を行う。先ず、投票履歴記憶部２０３に登録されている、現在処理対象にしているレースに関する投票履歴の内の１つに注目する（図２０、ステップＳ2001）。次に注目している投票履歴中の投票金額に基づいて払戻額を計算し、計算した払戻額、投票履歴中の会員ＩＤ、レース特定情報（投票内容に含まれる）とを含む払戻履歴を払戻履歴記憶部２０４に登録する（ステップＳ2003）。更に、投票資金記憶部２０５に登録されている投票資金額を払戻額だけ増加させ（ステップＳ2004）、その後、ステップＳ2001に戻る。会員払戻処理部１０６は、未注目の投票履歴がなくなるまで（ステップＳ2002がＹＥＳとなるまで）、上述した処理を繰り返し行う。
【００９８】
〔カード払戻端末６による払い戻し〕
会員は、会員入出金端末４だけでなく、カード払戻端末６を使用しても、自身の投票資金を現金化することができる。この場合は、動作は、図１４のフローチャートに示した処理と同様であるので、説明は省略する。
【００９９】
〔特典ポイントの管理〕
次に、特定ポイント管理部１０５が行う特典ポイントの管理処理について説明する。
【０１００】
特定ポイント管理部１０５は、毎月月末などの、特典ポイント集計タイミングにおいて、図２１のフローチャートに示す処理を行う。特定ポイント管理部１０５は、先ず、会員情報記憶部２０１に登録されている会員情報の１つに注目する（ステップＳ2101）。その後、上記会員情報中の会員ＩＤによって特定される、入場履歴記憶部２０２に登録されている注目会員の入場履歴や、投票履歴記憶部２０３に登録されている投票履歴に基づいて、特典ポイントを計算する（ステップＳ2103）。より具体的には、注目会員の投票や入場の近日性、頻度、投票累積金額などに応じた特典ポイントを計算する。その後、特典ポイント記憶部２０６に登録されている該当会員の特典ポイントを上記計算した特典ポイント数だけ増加させる（ステップＳ2104）。特定ポイント管理部１０５は、未注目の会員情報がなくなるまで（ステップＳ2102がＹＥＳとなるまで）、上述した処理を繰り返し行う。
【０１０１】
〔特典ポイントの利用〕
次に、会員が特典ポイントを利用する場合の動作について説明する。会員は、競走場内での飲食代などを特典ポイントを利用して支払う場合、売店端末８に会員カードＫを挿入すると共に、パスワードを入力する（図２２、ステップＳ2201，Ｓ2202）。これにより、売店端末８は、公営競技会員管理サーバ１に対して、会員ＩＤおよびパスワードを含んだ最新特典ポイント要求を送信する（ステップＳ2203）。
【０１０２】
公営競技会員管理サーバ１内の特定ポイント管理部１０５は、認証処理後、特典ポイント記憶部２０６に登録されている該当会員の特典ポイントを会員専用情報提供端末９へ送信する（ステップＳ2204，Ｓ2205）。売店端末８は、特定ポイント管理部１０５から送られてきた特典ポイントを表示すると共に、会員カードＫに書き込む（ステップＳ2206）。その後、ユーザは、利用する特典ポイント数（飲食料金等に見合った特典ポイント数）を入力する。これにより、売店端末８は、利用特典ポイント数を公営競技会員管理サーバ１へ送信する（ステップＳ2207）。
【０１０３】
特定ポイント管理部１０５は、特典ポイントによる支払いが可能か否か（特典ポイント記憶部２０６に登録されている特典ポイントが利用特典ポイント以上であるか否か）を判定する（ステップＳ2208）。支払い不可能な場合は、そのことを売店端末８に通知する。支払い可能な場合は、特典ポイント記憶部２０６に登録されている該当会員の特典ポイントから利用特典ポイントを減算し、更に、会員専用情報提供端末９に利用可能通知を送信する（ステップＳ2209，Ｓ2210）。なお、売店端末８を設置している店舗が、公営競技の主催者以外の者によって運営されている場合には、公営競技会員管理サーバ１において、売店端末８から送られてきた利用特典ポイントの累積値を管理し、その累積値に応じた金額を店舗の運営者に支払うようにしても良い。
【０１０４】
売店端末８は、利用可能通知を受信すると、会員カードＫに記録されている特典ポイントから利用特典ポイントを減算し、その後、会員カードＫを会員に返却する（ステップＳ2211）。
【０１０５】
また、施行者である地方公共団体が運営している鉄道やバスのサービス、美術館、博物館、動物園、植物園、音楽ホール、体育館、水泳プール、陸上競技場、球技グラウンド、宿泊所、公衆浴場、教養施設、駐車場、駐輪場などの入場料、利用料、使用・賃貸借料などの金銭についても同じ仕組みをとるようにしても良い。
【０１０６】
〔会員専用情報の提供〕
次に会員が会員専用情報を取得する際の動作について説明する。会員は、会員専用情報提供端末９に会員カードＫを挿入した後、パスワードを入力する（図２３、ステップＳ2301，Ｓ2302）。これにより、会員専用情報提供端末９は、会員ＩＤ及びパスワードを含む情報提供要求を公営競技会員管理サーバ１へ送信する（ステップＳ2304）。
【０１０７】
公営競技会員管理サーバ１内の会員専用情報管理部１０８は、認証処理を行った後、会員専用情報記憶部２０７に登録されている会員専用情報を会員専用情報提供端末９へ送信する（ステップＳ2305，Ｓ2306）。
【０１０８】
会員専用情報提供端末９は、会員専用情報管理部１０８から送られてきた会員専用情報をその出力属性に従って、画面に表示したり、スピーカから出力したりする（ステップＳ2307）。
【０１０９】
また、会員端末１１から会員ＩＤ及びパスワードを含む情報提供要求が送られてきた場合も同様な処理を行うようにしても良い。
【図面の簡単な説明】
【０１１０】
【図１】公営競技会員カード発行利用システムの実施の形態の全体構成例を示すブロック図である。
【図２】データベース２の構成例を示す図である。
【図３】会員情報記憶部２０１の内容例を示す図である。
【図４】入場履歴記憶部２０２の内容例を示す図である。
【図５】投票履歴記憶部２０３の内容例を示す図である。
【図６】払戻履歴記憶部２０４の内容例を示す図である。
【図７】投票資金記憶部２０５の内容例を示す図である。
【図８】特典ポイント記憶部２０６の内容例を示す図である。
【図９】公営競技会員管理サーバ１の構成例を示すブロック図である。
【図１０】会員登録端末３の外観を示す斜視図である。
【図１１】会員登録端末３の構成例を示すブロック図である。
【図１２】会員登録時の処理例を示すフローチャートである。
【図１３】会員入出金端末４を利用して投票資金を増額する場合の処理例を示すフローチャートである。
【図１４】会員入出金端末４を利用して投票資金を現金化する場合の処理例を示すフローチャートである。
【図１５】会員端末１１を利用して投票資金を増額する場合の処理例を示すフローチャートである。
【図１６】会員端末１１を利用して投票資金を銀行口座へ振り込む際の処理例を示すフローチャートである。
【図１７】会員入場装置７を利用して競走場へ入場する際の処理例を示すフローチャートである。
【図１８】カード投票端末５を用いて投票を行う際の処理例を示すフローチャートである。
【図１９】会員端末１１を用いて投票を行う際の処理例を示すフローチャートである。
【図２０】会員払戻処理部１０６が行う処理例を示すフローチャートである。
【図２１】特定ポイント管理部１０５が行う特典ポイント管理処理の処理例を示すフローチャートである。
【図２２】会員が特典ポイントを利用する際の売店端末８及び特定ポイント管理部１０５の処理例を示すフローチャートである。
【図２３】会員が会員専用情報提供端末９を利用して会員専用情報を取得する際の処理例を示すフローチャートである。
【符号の説明】
【０１１１】
１…公営競技会員管理サーバ
１０１…送受信部
１０２…会員登録処理部
１０３…会員入場管理部
１０４…会員投票処理部
１０５…特定ポイント管理部
１０６…会員払戻処理部
１０７…会員入出金処理部
１０８…会員専用情報管理部
２…データベース
２０１…会員情報記憶部
２０２…入場履歴記憶部
２０３…投票履歴記憶部
２０４…払戻履歴記憶部
２０５…投票資金記憶部
２０６…特典ポイント記憶部
２０７…会員専用情報記憶部
３…会員登録端末
３１…カード排出口
３２…タッチパネル付き表示部
３３…身分証明書読み取り面
３４…身分証明書
３０１…カード処理機構
３０２…制御部
３０３…送受信部
３０４…画像読み取り装置
４…会員入出金端末
５…カード投票端末
６…カード払戻端末
７…会員入場装置
８…売店端末
９…会員専用情報提供端末
１０…カード読み書き端末
１１…会員端末
１２…ネットワーク
１３…回線
【図１】
2005258527.tif 000003
【図２】
2005258527.tif 000004
【図３】
2005258527.tif 000005
【図４】
2005258527.tif 000006
【図５】
2005258527.tif 000007
【図６】
2005258527.tif 000008
【図７】
2005258527.tif 000009
【図８】
2005258527.tif 000010
【図９】
2005258527.tif 000011
【図１０】
2005258527.tif 000012
【図１１】
2005258527.tif 000013
【図１２】
2005258527.tif 000014
【図１３】
2005258527.tif 000015
【図１４】
2005258527.tif 000016
【図１５】
2005258527.tif 000017
【図１６】
2005258527.tif 000018
【図１７】
2005258527.tif 000019
【図１８】
2005258527.tif 000020
【図１９】
2005258527.tif 000021
【図２０】
2005258527.tif 000022
【図２１】
2005258527.tif 000023
【図２２】
2005258527.tif 000024
【図２３】
2005258527.tif 000025